(57)【要約】【課題】背表紙の幅が狭い書物が書棚等に陳列された状態でも、ユーザが所望する書物を選択することが可能なラベルを作成するための印刷データ作成装置、および印刷装置を提供する。【解決手段】ラベル作成装置は、書物６１の背表紙６１２の幅方向の長さ（背表紙長）が所定値未満である場合、見出しラベル５１を作成する。見出しラベル５１は、書物６１の一方の表紙６１１の表面に貼付される第一見出しラベル部５１１、背表紙６１２と離隔する方向に延び、情報が印刷される第二見出しラベル部５１２、背表紙６１２側に曲折して第二見出しラベル５１２に沿って延び、情報が印刷される第三見出しラベル部５１３、背表紙６１２に沿って延びる第四見出しラベル部５１４、および、他方の表紙６１３に沿って延び、他方の表紙６１３に貼付される第五見出しラベル部５１５を備える。【選択図】図６
2013097476.tif 000002
【特許請求の範囲】
【請求項１】
書物の背表紙に貼付するラベルであって情報が印刷されたラベルを作成するための印刷データを作成する印刷データ作成装置であって、
前記書物の背表紙の幅方向の長さである背表紙長を取得する第一取得手段と、
前記第一取得手段によって取得された前記背表紙長が、前記ラベルを作成可能な所定値未満である場合、見出しラベルを作成するための印刷データを作成する作成手段と
を備え、
前記見出しラベルは、
前記書物の一方の表紙の表面、且つ、前記書物の背表紙と近接する部分に少なくとも貼付される第一見出しラベル部、
前記書物の一方の表紙の表面に貼付された前記第一見出しラベル部の前記背表紙側の端部から、前記背表紙と離隔する方向に延び、情報が印刷される第二見出しラベル部、
前記第二見出しラベル部のうち前記第一見出しラベル部と接続する側と反対側の端部に接続し、前記背表紙側に曲折して前記第二見出しラベルに沿って延び、情報が印刷される第三見出しラベル部、
前記第三見出しラベル部のうち前記第二見出しラベル部と接続する側と反対側の端部から前記背表紙に沿って延び、前記背表紙に貼付される第四見出しラベル部、および、
前記第四見出しラベル部のうち前記第三見出しラベル部と接続する側と反対側の端部から、他方の前記表紙に沿って延び、前記他方の表紙に貼付される第五見出しラベル部を備えたことを特徴とする印刷データ作成装置。
【請求項２】
文字サイズを取得する第二取得手段を備え、
前記作成手段は、
前記第二取得手段によって取得された前記文字サイズに基づいて前記ラベルを作成可能な所定値を特定し、前記ラベルを作成可能な所定値と、前記第一取得手段によって取得された前記背表紙長とを比較し、前記背表紙長が前記ラベルを作成可能な所定値未満である場合、前記見出しラベルを作成するための前記印刷データを作成することを特徴とする請求項１に記載の印刷データ作成装置。
【請求項３】
前記作成手段は、
前記見出しラベルの前記第一見出しラベル部と前記第二見出しラベル部との境界部分、前記第二見出しラベル部と前記第三見出しラベル部との境界部分、前記第三見出しラベル部と前記第四見出しラベル部との境界部分、および、前記第四見出しラベル部と前記第五見出しラベル部との境界部分のうち少なくともいずれかに、線分を印刷するか、または、ミシン目を設けるためのデータを作成することを特徴とする請求項１または２に記載の印刷データ作成装置。
【請求項４】
前記第一見出しラベル部、前記第二見出しラベル部、前記第三見出しラベル部、および、前記第五見出しラベル部の幅方向の長さのうち少なくともいずれかを記憶する記憶手段を備え、
前記作成手段は、
前記記憶手段に記憶された前記長さに基づいて、前記見出しラベルを作成するための印刷データを作成することを特徴とする請求項１から３のいずれかに記載の印刷データ作成装置。
【請求項５】
前記第四見出しラベル部の幅方向の長さは、前記第一取得手段によって取得された前記背表紙長に基づいて特定されることを特徴とする請求項１から４のいずれかに記載の印刷データ作成装置。
【請求項６】
書物の背表紙に貼付するラベルであって情報が印刷されたラベルを作成する印刷装置であって、
前記書物の背表紙の幅方向の長さである背表紙長を取得する第一取得手段と、
前記第一取得手段によって取得された前記背表紙長が、前記ラベルを作成可能な所定値未満である場合、見出しラベルを作成する作成手段と
を備え、
前記見出しラベルは、
前記書物の一方の表紙の表面、且つ、前記書物の背表紙と近接する部分に少なくとも貼付される第一見出しラベル部、
前記書物の一方の表紙の表面に貼付された前記第一見出しラベル部の前記背表紙側の端部から、前記背表紙と離隔する方向に延び、情報が印刷される第二見出しラベル部、
前記第二見出しラベル部のうち前記第一見出しラベル部と接続する側と反対側の端部に接続し、前記背表紙側に曲折して前記第二見出しラベルに沿って延び、情報が印刷される第三見出しラベル部、
前記第三見出しラベル部のうち前記第二見出しラベル部と接続する側と反対側の端部から前記背表紙に沿って延び、前記背表紙に貼付される第四見出しラベル部、および、
前記第四見出しラベル部のうち前記第三見出しラベル部と接続する側と反対側の端部から、他方の前記表紙に沿って延び、前記他方の表紙に貼付される第五見出しラベル部を備えたことを特徴とする印刷装置。
【請求項７】
文字サイズを取得する第二取得手段を備え、
前記作成手段は、
前記第二取得手段によって取得された前記文字サイズに基づいて前記ラベルを作成可能な所定値を特定し、前記ラベルを作成可能な所定値と、前記第一取得手段によって取得された前記背表紙長とを比較し、前記背表紙長が前記ラベルを作成可能な所定値未満である場合、前記見出しラベルを作成することを特徴とする請求項６に記載の印刷装置。
【請求項８】
前記作成手段は、
前記見出しラベルの前記第一見出しラベル部と前記第二見出しラベル部との境界部分、前記第二見出しラベル部と前記第三見出しラベル部との境界部分、前記第三見出しラベル部と前記第四見出しラベル部との境界部分、および、前記第四見出しラベル部と前記第五見出しラベル部との境界部分のうち少なくともいずれかに、境界線を印刷するか、または、ミシン目を設けることを特徴とする請求項６または７に記載の印刷装置。
【請求項９】
前記第一見出しラベル部、前記第二見出しラベル部、前記第三見出しラベル部、および、前記第五見出しラベル部の幅方向の長さのうち少なくともいずれかを記憶する記憶手段を備え、
前記作成手段は、
前記記憶手段に記憶された前記長さに基づいて基材を搬送し、且つ、前記基材に情報を印刷することによって、前記見出しラベルを作成することを特徴とする請求項６から８のいずれかに記載の印刷装置。
【請求項１０】
前記第四見出しラベル部の幅方向の長さは、前記第一取得手段によって取得された前記背表紙長に基づいて特定されることを特徴とする請求項６から９のいずれかに記載の印刷装置。
【発明の詳細な説明】
【技術分野】
【０００１】
本発明は、書物や紙束の背表紙に貼付するラベルを印刷するためのデータを作成する印刷データ作成装置、および印刷装置に関する。
【背景技術】
【０００２】
書物や紙束（以下、これらを総称し「書物」という。）の背表紙に貼付するラベルの印刷を行う装置が知られている。ラベルには、例えば書物の種別や内容等を表す情報が印刷される。ラベルに印刷される情報は、書物が書棚等に陳列された状態でも良好に視認することができる。従ってユーザは、背表紙に貼付されたラベルを参照することによって、陳列された状態の書物から所望する書物を選ぶことができる。例えば特許文献１には、製本する書物の厚さに応じて背表紙の幅を算出し、適切な大きさの文字を背表紙部分に印刷する装置が提案されている。
【先行技術文献】
【特許文献】
【０００３】
【特許文献１】特開２００８−１１７１４６号公報
【発明の概要】
【発明が解決しようとする課題】
【０００４】
しかしながら特許文献１に記載された装置では、書物の厚さが薄く背表紙の幅が狭い場合、ラベルに印刷する文字の大きさも小さくなる。従ってユーザは、ラベルが貼付された背表紙を見ても情報を良好に認識することができないので、書棚等に陳列された状態の書物から所望する書物を選ぶことができなくなるという問題点がある。
【０００５】
本発明の目的は、背表紙の幅が狭い書物が書棚等に陳列された状態でも、ユーザが所望する書物を選択することが可能なラベルを作成するための印刷データを作成する印刷データ作成装置、および印刷装置を提供することにある。
【課題を解決するための手段】
【０００６】
本発明の第一態様に係る印刷データ作成装置は、書物の背表紙に貼付するラベルであって情報が印刷されたラベルを作成するための印刷データを作成する印刷データ作成装置であって、前記書物の背表紙の幅方向の長さである背表紙長を取得する第一取得手段と、前記第一取得手段によって取得された前記背表紙長が、前記ラベルを作成可能な所定値未満である場合、見出しラベルを作成するための印刷データを作成する作成手段とを備え、前記見出しラベルは、前記書物の一方の表紙の表面、且つ、前記書物の背表紙と近接する部分に少なくとも貼付される第一見出しラベル部、前記書物の一方の表紙の表面に貼付された前記第一見出しラベル部の前記背表紙側の端部から、前記背表紙と離隔する方向に延び、情報が印刷される第二見出しラベル部、前記第二見出しラベル部のうち前記第一見出しラベル部と接続する側と反対側の端部に接続し、前記背表紙側に曲折して前記第二見出しラベルに沿って延び、情報が印刷される第三見出しラベル部、前記第三見出しラベル部のうち前記第二見出しラベル部と接続する側と反対側の端部から前記背表紙に沿って延び、前記背表紙に貼付される第四見出しラベル部、および、前記第四見出しラベル部のうち前記第三見出しラベル部と接続する側と反対側の端部から、他方の前記表紙に沿って延び、前記他方の表紙に貼付される第五見出しラベル部を備えている。
【０００７】
第一態様によれば、印刷データ作成装置は、背表紙長が所定値よりも小さい場合に、見出しラベルの印刷データを作成することができる。見出しラベルでは、第二見出しラベル部および第三見出しラベル部に情報が印刷される。このため、背表紙長が短い場合でも、書物の内容等を示す情報を十分な大きさでラベルに印刷することができる。従ってユーザは、作成された印刷データに基づいて作成された見出しラベルを書物に貼付することによって、背表紙長の短い書物が書棚等に陳列された状態でも、所望する書物を容易に選択することができる。
【０００８】
第一態様において、文字サイズを取得する第二取得手段を備え、前記作成手段は、前記第二取得手段によって取得された前記文字サイズに基づいて前記ラベルを作成可能な所定値を特定し、前記ラベルを作成可能な所定値と、前記第一取得手段によって取得された前記背表紙長とを比較し、前記背表紙長が前記ラベルを作成可能な所定値未満である場合、前記見出しラベルを作成するための前記印刷データを作成してもよい。これによって印刷データ作成装置は、ユーザの所望する大きさの文字を背表紙部分に印刷することができない場合に、見出しラベルを作成する印刷データを作成することができる。
【０００９】
第一態様において、前記作成手段は、前記見出しラベルの前記第一見出しラベル部と前記第二見出しラベル部との境界部分、前記第二見出しラベル部と前記第三見出しラベル部との境界部分、前記第三見出しラベル部と前記第四見出しラベル部との境界部分、および、前記第四見出しラベル部と前記第五見出しラベル部との境界部分のうち少なくともいずれかに、線分を印刷するか、または、ミシン目を設けるためのデータを作成してもよい。これによってユーザは、線分が印刷された場合には、印刷データに基づいて作成された見出しラベルについて、折り目部分等を明確に認識することができる。またユーザは、ミシン目が設けられた場合には、折り目部分正確にラベルを折り曲げることができる。このためユーザは、見出しラベルを書物に正確に貼付することができる。
【００１０】
第一態様において、前記第一見出しラベル部、前記第二見出しラベル部、前記第三見出しラベル部、および、前記第五見出しラベル部の幅方向の長さのうち少なくともいずれかを記憶する記憶手段を備え、前記作成手段は、前記記憶手段に記憶された前記長さに基づいて、前記見出しラベルを作成するための印刷データを作成してもよい。これによってユーザは、見出しラベルを構成する各部位の長さを印刷データ作成装置に設定する手間を省くことができる。このためユーザは、印刷データを短時間で容易に作成できる。
【００１１】
第一態様において、前記第四見出しラベルの幅方向の長さは、前記第一取得手段によって取得された前記背表紙長に基づいて特定されてもよい。これによって印刷データ作成装置は、見出しラベルを構成する第四見出しラベルの長さをユーザが設定する手間を省くことができる。このためユーザは、印刷データを短時間で容易に作成できる。
【００１２】
本発明の第二態様に係る印刷装置は、書物の背表紙に貼付するラベルであって情報が印刷されたラベルを作成する印刷装置であって、前記書物の背表紙の幅方向の長さである背表紙長を取得する第一取得手段と、前記第一取得手段によって取得された前記背表紙長が、前記ラベルを作成可能な所定値未満である場合、見出しラベルを作成する作成手段とを備え、前記見出しラベルは、前記書物の一方の表紙の表面、且つ、前記書物の背表紙と近接する部分に少なくとも貼付される第一見出しラベル部、前記書物の一方の表紙の表面に貼付された前記第一見出しラベル部の前記背表紙側の端部から、前記背表紙と離隔する方向に延び、情報が印刷される第二見出しラベル部、前記第二見出しラベル部のうち前記第一見出しラベル部と接続する側と反対側の端部に接続し、前記背表紙側に曲折して前記第二見出しラベルに沿って延び、情報が印刷される第三見出しラベル部、前記第三見出しラベル部のうち前記第二見出しラベル部と接続する側と反対側の端部から前記背表紙に沿って延び、前記背表紙に貼付される第四見出しラベル部、および、前記第四見出しラベル部のうち前記第三見出しラベル部と接続する側と反対側の端部から、他方の前記表紙に沿って延び、前記他方の表紙に貼付される第五見出しラベル部を備えている。
【００１３】
第二態様によれば、印刷装置は、背表紙長が所定値よりも小さい場合に、見出しラベルを作成することができる。見出しラベルでは、第二見出しラベル部および第三見出しラベル部に情報が印刷される。このため、背表紙長が短い場合でも、書物の内容等を示す情報を十分な大きさでラベルに印刷することができる。従ってユーザは、作成された見出しラベルを書物に貼付することによって、背表紙長の短い書物が書棚等に陳列された状態でも、所望する書物を容易に選択することができる。
【００１４】
第二態様において、文字サイズを取得する第二取得手段を備え、前記作成手段は、前記第二取得手段によって取得された前記文字サイズに基づいて前記ラベルを作成可能な所定値を特定し、前記ラベルを作成可能な所定値と、前記第一取得手段によって取得された前記背表紙長とを比較し、前記背表紙長が前記ラベルを作成可能な所定値未満である場合、前記見出しラベルを作成してもよい。これによって印刷装置は、ユーザの所望する大きさの文字を背表紙部分に印刷できない場合に見出しラベルを作成できる。
【００１５】
第二態様において、前記作成手段は、前記見出しラベルの前記第一見出しラベル部と前記第二見出しラベル部との境界部分、前記第二見出しラベル部と前記第三見出しラベル部との境界部分、前記第三見出しラベル部と前記第四見出しラベル部との境界部分、および、前記第四見出しラベル部と前記第五見出しラベル部との境界部分のうち少なくともいずれかに、境界線を印刷するか、または、ミシン目を設けてもよい。これによってユーザは、線分が印刷された場合には、印刷データに基づいて作成された見出しラベルについて、折り目部分等を明確に認識することができる。またユーザは、ミシン目が設けられた場合には、折り目部分正確にラベルを折り曲げることができる。このためユーザは、見出しラベルを書物に正確に貼付することができる。
【００１６】
第二態様において、前記第一見出しラベル部、前記第二見出しラベル部、前記第三見出しラベル部、および、前記第五見出しラベル部の幅方向の長さのうち少なくともいずれかを記憶する記憶手段を備え、前記作成手段は、前記記憶手段に記憶された前記長さに基づいて基材を搬送し、且つ、前記基材に情報を印刷することによって、前記見出しラベルを作成してもよい。これによってユーザは、見出しラベルを構成する各部位の長さを印刷装置に設定する手間を省くことができる。このためユーザは、見出しラベルを容易に作成できる。
【００１７】
第二態様において、前記第四見出しラベルの幅方向の長さは、前記第一取得手段によって取得された前記背表紙長に基づいて特定されてもよい。これによってユーザは、見出しラベルを構成する第四見出しラベルの長さを印刷装置に設定する手間を省くことができる。このためユーザは、見出しラベルを短時間で容易に作成できる。
【図面の簡単な説明】
【００１８】
【図１】印刷システム１の概要を示す図である。
【図２】印刷装置２および印刷データ作成装置３の電気的構成を示すブロック図である。
【図３】背表紙ラベル４１を示す図である。
【図４】背表紙ラベル４１が書物６１に貼付された状態を示す図である。
【図５】見出しラベル５１を示す図である。
【図６】見出しラベル５１が書物６１に貼付された状態を示す図である。
【図７】テーブル７１を示す図である。
【図８】第一実施例におけるメイン処理を示すフローチャートである。
【図９】第一作成処理を示すフローチャートである。
【図１０】第二作成処理を示すフローチャートである。
【図１１】第二実施例におけるメイン処理を示すフローチャートである。
【図１２】第三実施例におけるメイン処理を示すフローチャートである。
【発明を実施するための形態】
【００１９】
＜第一実施例＞
以下、本発明の第一実施例について、図面を参照して説明する。図１を参照して、第一実施形態に係る印刷システム１の構成について説明する。印刷システム１は、印刷装置２および印刷データ作成装置３を備えている。印刷装置２は、通信ケーブルによって印刷データ作成装置３と接続している。
【００２０】
印刷装置２は、書物や紙束、冊子等（以下、単に「書物」という。）の表紙、背表紙、および裏表紙に亙って貼付されるラベルを作成する。なお書物には、上製本された書物の他、中綴じ製本された書物も含まれる。印刷装置２の内部には、巻回されたテープ状の印刷媒体５０を備えたテープカセット（図示外）が格納される。印刷媒体５０の裏面には、粘着剤が予め塗布されていてもよい。粘着剤には、剥離紙が予め貼付されていてもよい。印刷装置２は、書物の内容等を示す情報を印刷媒体５０に印刷することによって、ラベルを作成する。印刷装置２が印刷を実行する場合、テープカセットから印刷媒体５０が引き出されて、印刷媒体５０に対して印刷が行われる。印刷された印刷媒体５０は切断され、外部に排出される。このようにしてラベルは作成される。作成されたラベルは、ユーザによって書物に貼付される。
【００２１】
印刷データ作成装置３は、印刷装置２がラベルを作成するために必要なデータ（以下、印刷データという。）を作成する。印刷データ作成装置３として、例えばパーソナルコンピュータ（以下、ＰＣという。）が使用される。なお、図１の印刷システム１では、印刷データ作成装置３は印刷装置２と通信ケーブルを介して直接接続している。あるいは、印刷データ作成装置３は、印刷装置２とネットワークを介して接続してもよい。
【００２２】
図２を参照して、印刷データ作成装置３の電気的構成について説明する。印刷データ作成装置３は、印刷データ作成装置３の制御を行うＣＰＵ３０１を備えている。ＣＰＵ３０１は、ハードディスクドライブ（以下、ＨＤＤ）３０２、ＲＡＭ３０３、通信インターフェイス（以下、通信Ｉ／Ｆという。）３０４、入力回路３０５Ｂ、及び出力回路３０６と接続している。
【００２３】
ＨＤＤ３０２には、ＣＰＵ３０１が実行する各種プログラム、および後述するテーブル７１（図７参照）が記憶される。ＲＡＭ３０３には、種々の一時データが記憶される。入力部３０５は、例えば、マウス、キーボード、及びタッチパネル等であり、入力回路３０５Ｂは、ＣＰＵ３０１へ入力部３０５からの指示を送る制御を行う。出力回路３０６は、ＣＰＵ３０１からの指示に応じてディスプレイ３０７に画像を表示する制御を行う。通信Ｉ／Ｆ３０４は、印刷装置２と通信を行うためのインターフェイスである。通信Ｉ／Ｆ３０４は、印刷装置２の通信Ｉ／Ｆ２０６（後述）と接続している。ＣＰＵ３０１は、通信Ｉ／Ｆ３０４を介して印刷装置２と通信を行う。
【００２４】
印刷装置２の電気的構成について説明する。印刷装置２は、印刷装置２の制御を行うＣＰＵ２０１を備えている。ＣＰＵ２０１は、ＲＯＭ２０２、フラッシュメモリ２０３、ＲＡＭ２０４、ＣＧＲＯＭ２０５、通信Ｉ／Ｆ２０６、入力部２０７、及び駆動回路２０９〜２１１に接続されている。
【００２５】
ＲＯＭ２０２には、ＣＰＵ２０１が実行する各種プログラムが記憶される。フラッシュメモリ２０３には、種々の設定用データが記憶される。ＲＡＭ２０４には、種々の一時データが記憶される。ＣＧＲＯＭ２０５には、種々のキャラクタ（文字、数字、及び図形等）を印刷媒体５０に印刷するための印刷用のドットパターンデータが記憶されている。入力部２０７は、印刷装置２に対して入力操作を行うためのボタンである。駆動回路２０９は、サーマルヘッド２１３を駆動するための電子回路である。ＣＰＵ２０１は、駆動回路２０９を介して、サーマルヘッド２１３を制御し、印刷媒体５０に印刷を行うことができる。駆動回路２１０は、印刷装置２の内部で巻回された印刷媒体５０を外部に搬送するためのテープ送りモータ２１４を駆動するための電子回路である。駆動回路２１１は、印刷済みの印刷媒体５０を切断したり、印刷媒体５０にミシン目を形成させたりする移動刃（図示外）を動作させるカッターモータ２１５を駆動するための電子回路である。
【００２６】
図３から図６を参照し、印刷データ作成装置３において作成された印刷データに基づき、印刷装置２が作成するラベル（背表紙ラベル４１（図３および図４参照）および見出しラベル５１（図５および図６参照）について説明する。はじめに図３および図４を参照し、背表紙ラベル４１について説明する。図３に示すように、背表紙ラベル４１は略長方形状を有している。背表紙ラベル４１は、第一背表紙ラベル部４１１、第二背表紙ラベル部４１２、および第三背表紙ラベル部４１３を備えている。第一背表紙ラベル部４１１、第二背表紙ラベル部４１２、および第三背表紙ラベル部４１３は、それぞれ、背表紙ラベル４１を短辺方向（図３の左右方向）に三分割したそれぞれの部分のうち、一方側の端部分、真ん中部分、および他方側の端部分に相当する。第一背表紙ラベル部４１１、第二背表紙ラベル部４１２、および第三背表紙ラベル部４１３の短辺方向の長さは、それぞれ、Ｐ、Ｑ、Ｒである。第一背表紙ラベル部４１１と第二背表紙ラベル部４１２との間の境界部分に、ミシン目４１４が設けられている。第二背表紙ラベル部４１２と第三背表紙ラベル部４１３との間の境界部分に、ミシン目４１５が設けられている。背表紙ラベル４１は、ミシン目４１４、４１５の部分で容易に曲折させることができる。第二背表紙ラベル部４１２には、書物６１（図４参照、後述）の内容等を示す文字４１６が印刷される。
【００２７】
図４は、背表紙ラベル４１が書物６１に貼付された状態を示している。背表紙ラベル４１の長辺方向（図３の上下方向）と書物６１の上下方向（図４の上下方向）とが一致する向きで、背表紙ラベル４１は書物６１に貼付される。第一背表紙ラベル部４１１は、書物６１の一方の表紙６１１の表面、且つ、書物６１の背表紙６１２と近接する部分に貼付される。第二背表紙ラベル部４１２は、表紙６１１の表面に貼付された状態の第一背表紙ラベル部４１１のうち背表紙６１２側の端部から、背表紙６１２に沿って延びる。背表紙ラベル４１は、ミシン目４１４の部分で曲折し、書物６１に沿って延びる。第二背表紙ラベル部４１２は、背表紙６１２に貼付される。文字４１６は、書物６１の背表紙６１２の部分に配置する。第三背表紙ラベル部４１３は、第二背表紙ラベル部４１２のうち第一背表紙ラベル部４１１と接続する側と反対側の端部から、書物６１の他方の表紙６１３に沿って延びる。背表紙ラベル４１は、ミシン目４１５の部分で曲折し、書物６１に沿って延びる。第三背表紙ラベル部４１３は、他方の表紙６１３の表面、且つ、背表紙６１２と近接する部分に貼付される。
【００２８】
図５および図６を参照し、見出しラベル５１について説明する。図５に示すように、見出しラベル５１は略長方形状を有している。見出しラベル５１は、第一見出しラベル部５１１、第二見出しラベル部５１２、第三見出しラベル部５１３、第四見出しラベル部５１４、および、第五見出しラベル部５１５を備えている。第一見出しラベル部５１１、第二見出しラベル部５１２、第三見出しラベル部５１３、第四見出しラベル部５１４、および、第五見出しラベル部５１５は、それぞれ、見出しラベル５１を短辺方向（図５の左右方向）に五分割したそれぞれの部分のうち、一方側の端部分、一方側の端部分に隣接する部分、真ん中部分、他方側の端部に隣接する部分、および、他方側の端部分に相当する。第一見出しラベル部５１１、第二見出しラベル部５１２、第三見出しラベル部５１３、第四見出しラベル部５１４、および、第五見出しラベル部５１５の短辺方向の長さは、それぞれ、Ａ、Ｂ、Ｃ、Ｄ、Ｅである。
【００２９】
第一見出しラベル部５１１と第二見出しラベル部５１２との間の境界部分、第二見出しラベル部５１２と第三見出しラベル部５１３との間の境界部分、第三見出しラベル部５１３と第四見出しラベル部５１４との間の境界部分、および、第四見出しラベル部５１４と第五見出しラベル部５１５との間の境界部分に、それぞれ、ミシン目５１６、５１７、５１８、および５１９が設けられている。見出しラベル５１は、ミシン目５１６〜５１９の部分で容易に曲折させることができる。第二見出しラベル部５１２および第三見出しラベル部５１３には、書物６１（図６参照）の内容等を示す第一文字５２０および第二文字５２１が印刷される。
【００３０】
図６は、見出しラベル５１が書物６１に貼付された状態を示している。見出しラベル５１の長辺方向（図５の上下方向）と書物６１の上下方向（図６の上下方向）とが一致する向きで、見出しラベル５１は書物６１に貼付される。第一見出しラベル部５１１は、書物６１の一方の表紙６１１の表面、且つ、書物６１の背表紙６１２と近接する部分に貼付される。第二見出しラベル部５１２は、表紙６１１の表面に貼付された状態の第一見出しラベル部５１１のうち背表紙６１２側の端部から、背表紙６１２と離隔する方向に延びる。ミシン目５１７の部分で見出しラベル５１は曲折している。第三見出しラベル部５１３は、第二見出しラベル部５１２のうち第一見出しラベル部５１１と接続する側と反対側の端部から、第二見出しラベル部５１２に沿って延びる。第一文字５２０（図５参照）および第二文字５２１は、書物６１の背表紙６１２から外方に向けて突出した状態の第二見出しラベル部５１２および第三見出しラベル部５１３に配置する。見出しラベル５１は、ミシン目５１８の部分で曲折する。第四見出しラベル部５１４は、第三見出しラベル部５１３のうち第二見出しラベル部５１２と接続する側と反対側の端部から、背表紙６１２に沿って延びる。第四見出しラベル部５１４は、背表紙６１２に貼付される。第四見出しラベル部５１４には、後述するように文字は印刷できないので、書物６１の背表紙６１２に文字は配置しない。見出しラベル５１は、ミシン目５１９の部分で曲折している。第五見出しラベル部５１５は、第四見出しラベル部５１４のうち第三見出しラベル部５１３と接続する側と反対側の端部から、他方の表紙６１３に沿って延びる。第五見出しラベル部５１５は、他方の表紙６１３の表面、且つ、背表紙６１２と近接する部分に貼付される。
【００３１】
印刷データ作成装置３は、書物６１の背表紙６１２の幅方向の長さ（以下、「背表紙長」という。）が所定値以上である場合、背表紙ラベル４１を作成するための印刷データを作成する。この場合、背表紙長は十分大きいため、背表紙長に収まる大きさで文字４１６が第二背表紙ラベル部４１２に印刷された場合に、ユーザは文字４１６を良好に認識できるためである。従ってユーザは、背表紙ラベル４１が貼付された書物６１が書棚に陳列された場合に、文字４１６を認識することによって書物６１の内容を容易に確認し、所望する書物６１を適切に選択できる。
【００３２】
一方、印刷データ作成装置３は、背表紙長が所定値未満である場合、見出しラベル５１を作成するための印刷データを作成する。前述と同様、背表紙ラベル４１を作成するための印刷データが作成され、印刷データに基づいて背表紙ラベル４１が作成された場合、背表紙長が小さいため、第二背表紙ラベル部４１２に収まる大きさで印刷された文字４１６をユーザが良好に認識できない可能性があるためである。
【００３３】
これに対し、見出しラベル５１を作成するための印刷データが作成され、印刷データに基づいて見出しラベル５１が作成された場合、第四見出しラベル部５１４には文字が印刷されないので、書物６１の背表紙６１２に配置された文字をユーザが認識できないという問題は発生しない。さらに見出しラベル５１では、背表紙６１２から外方に突出する第二見出しラベル部５１２および第三見出しラベル部５１３に、第一文字５２０および第二文字５２１が印刷される。このため、第二見出しラベル部５１２および第三見出しラベル部５１３の短辺方向の長さＢ、Ｃを調整することによって、ユーザが良好に認識できる大きさの第一文字５２０および第二文字５２１を、第二見出しラベル部５１２および第三見出しラベル部５１３に印刷できる。さらに書物６１が書棚に陳列された状態で、第二見出しラベル部５１２および第三見出しラベル部５１３は背表紙６１２から突出する。このためユーザは、この部分を捲って確認することによって、書物６１を書棚から取り出すことなく書物６１の内容を確認し、所望する書物６１を容易に選択することができる。
【００３４】
図７を参照し、印刷データ作成装置３のＨＤＤ３０２に記憶されるテーブル７１について説明する。テーブル７１には、背表紙ラベル４１および見出しラベル５１に対応する印刷データを作成する場合にＣＰＵ３０１が参照するパラメータが記憶される。背表紙ラベル４１に対応するパラメータとして、Ｐ、Ｑ、Ｒ、および文字が記憶されている。見出しラベル５１に対応するパラメータとして、Ａ、Ｂ、Ｃ、Ｄ、Ｅ、第一文字、および第二文字が記憶されている。
【００３５】
背表紙ラベル４１に対応するパラメータについて説明する。Ｐ、Ｑ、Ｒは、それぞれ、第一背表紙ラベル部４１１、第二背表紙ラベル部４１２、および第三背表紙ラベル部４１３のそれぞれの短辺方向の長さを示す。文字は、第二背表紙ラベル部４１２に印刷される文字４１６を示す。これらのうち、ＰおよびＲは、規定値として予めテーブル７１に記憶されている。Ｑは、ユーザが入力した背表紙長に所定のマージンを加算することによって算出される。文字は、ユーザによって入力される。各パラメータに基づき印刷データが作成される場合の具体的方法については後述する。
【００３６】
見出しラベル５１に対応するパラメータについて説明する。Ａ、Ｂ、Ｃ、Ｄ、Ｅは、それぞれ、第一見出しラベル部５１１、第二見出しラベル部５１２、第三見出しラベル部５１３、第四見出しラベル部５１４、および第五見出しラベル部５１５のそれぞれの短辺方向の長さを示す。第一文字は、第二見出しラベル部５１２に印刷される第一文字５２０を示す。第二文字は、第三見出しラベル部５１３に印刷される第二文字５２１を示す。これらのうち、ＡおよびＥは、規定値として予めテーブル７１に記憶されている。ＢおよびＣは同値であり、ユーザによって入力される。Ｄは、ユーザが入力した背表紙長に所定のマージンを加算することによって算出される。第一文字および第二文字は、ユーザによって入力される。各パラメータに基づき印刷データが作成される場合の具体的方法については後述する。
【００３７】
図８を参照し、印刷データ作成装置３のＣＰＵ３０１において実行されるメイン処理について説明する。メイン処理は、ユーザがメイン処理を開始する指示を入力した場合に開始される。メイン処理が開始されると、ＣＰＵ３０１は、書物６１の背表紙長を入力することが可能な画面をディスプレイ３０７（図２参照）に表示し、背表紙長の入力をユーザに促す。ユーザが、入力部３０５（図２参照）を介して背表紙長を入力したとする。ＣＰＵ３０１は、入力された背表紙長を取得する（Ｓ１１）。ＣＰＵ３０１は、取得した背表紙長が、文字が印刷可能な幅である所定値（例えば２ｍｍ）未満であるかを判断する（Ｓ１３）。ＣＰＵ３０１は、取得した背表紙長が所定値未満である場合（Ｓ１３：ＹＥＳ）、印刷装置２が見出しラベル５１を作成するために必要な印刷データを作成する（Ｓ１５〜Ｓ２３）。一方、ＣＰＵ３０１は、取得した背表紙長が、文字が印刷可能な幅である所定値以上である場合（Ｓ１３：ＮＯ）、印刷装置２が背表紙ラベル４１を作成するために必要な印刷データを作成する（Ｓ２５〜Ｓ２９）。以下詳説する。
【００３８】
取得した背表紙長が所定値未満である場合（Ｓ１３：ＹＥＳ）、ＣＰＵ３０１は、Ｓ１１で取得した背表紙長に所定のマージン（例えば０．５ｍｍ）を加算することによって、Ｄを算出する（Ｓ１５）。ＣＰＵ３０１は、算出したＤをテーブル７１（図７参照）に記憶する（Ｓ１５）。Ｄは、見出しラベル５１のうち書物６１の背表紙６１２に貼付される第四見出しラベル部５１４の短辺方向の長さに相当する。このためＣＰＵ３０１は、上述のようにしてＤを算出し、印刷データを作成することによって、書物６１の背表紙６１２に正確に貼付することが可能な第四見出しラベル部５１４を作成できる。
【００３９】
ＣＰＵ３０１は、ＢおよびＣを入力することが可能な画面をディスプレイ３０７に表示し、ＢおよびＣの入力をユーザに促す。ユーザが、入力部３０５を介してＢおよびＣを入力したとする。ＣＰＵ３０１は、入力されたＢおよびＣを取得する（Ｓ１７）。ＣＰＵ３０１は、取得したＢおよびＣをテーブル７１（図７参照）に記憶する（Ｓ１７）。
【００４０】
次にＣＰＵ３０１は、第一文字５２０（図５参照）を入力することが可能な画面をディスプレイ３０７に表示し、第一文字５２０の入力をユーザに促す。ユーザが入力部３０５を介して第一文字５２０を入力したとする。ＣＰＵ３０１は、入力された第一文字５２０を取得する（Ｓ１９）。ＣＰＵ３０１は、取得した第一文字５２０をテーブル７１に記憶する（Ｓ１９）。次にＣＰＵ３０１は、第二文字５２１（図５参照）を入力することが可能な画面をディスプレイ３０７に表示し、第二文字５２１の入力をユーザに促す。ユーザが入力部３０５を介して第二文字５２１を入力したとする。ＣＰＵ３０１は、入力された第二文字５２１を取得する（Ｓ２１）。ＣＰＵ３０１は、取得した第二文字５２１をテーブル７１に記憶する（Ｓ２１）。以上までの処理によって、見出しラベル５１に対応するパラメータ（Ａ、Ｂ、Ｃ、Ｄ、Ｅ、第一文字、および第二文字）がすべてテーブル７１に記憶されたことになる。
【００４１】
ＣＰＵ３０１は、テーブル７１に記憶されたパラメータに基づいて、印刷装置２が見出しラベル５１を作成するために必要な印刷データを作成する処理（第一作成処理、図９参照）を実行する（Ｓ２３）。図９を参照し、第一作成処理について説明する。ＣＰＵ３０１は、印刷媒体５０（図１参照）をＡ分搬送し、その後、ミシン目５１６（図５参照）を印刷媒体５０に形成させる動作を印刷装置２が実行するように、印刷データを設定する（Ｓ４１）。次にＣＰＵ３０１は、印刷媒体５０をＢ分搬送しながら第一文字５２０を印刷し、その後、ミシン目５１７（図５参照）を印刷媒体５０に形成させる動作を印刷装置２が実行するように、印刷データを設定する（Ｓ４３）。次にＣＰＵ３０１は、印刷媒体５０をＣ分搬送しながら第二文字５２１（図５参照）を印刷し、その後、ミシン目５１８（図５参照）を印刷媒体５０に形成させる動作を印刷装置２が実行するように、印刷データを設定する（Ｓ４５）。次にＣＰＵ３０１は、印刷媒体５０をＤ分搬送し、その後、ミシン目５１９（図５参照）を印刷媒体５０に形成させる動作を印刷装置２が実行するように、印刷データを設定する（Ｓ４７）。最後にＣＰＵ３０１は、印刷媒体５０をＥ分搬送し、その後、印刷媒体５０を切断する動作を印刷装置２が実行するように、印刷データを設定する（Ｓ４９）。以上によって、見出しラベル５１を作成するために必要な印刷データが作成される。第一作成処理は終了し、処理はメイン処理（図８参照）に戻る。
【００４２】
図８に示すように、第一作成処理（図９参照）の終了後、ＣＰＵ３０１は、作成した印刷データを、通信ケーブルを介して印刷装置２に送信する（Ｓ３１）。メイン処理は終了する。なお印刷装置２は、印刷データ作成装置３から受信した印刷データに基づき、サーマルヘッド２１３（図２参照）、テープ送りモータ２１４（図２参照）、およびカッターモータ２１５（図２参照）を駆動する。これによって印刷装置２は、見出しラベル５１の短辺方向に沿って印刷媒体５０を搬送しつつ、印刷媒体５０上に、ミシン目５１６、第一文字５２０、ミシン目５１７、第二文字５２１、ミシン目５１８、およびミシン目５１９を順に形成させることによって、見出しラベル５１を作成する。
【００４３】
一方、ＣＰＵ３０１は、Ｓ１１で取得した背表紙長が所定値以上であった場合（Ｓ１３：ＮＯ）、背表紙長に所定のマージン（例えば０．５ｍｍ）を加算することによって、Ｑを算出する（Ｓ２５）。ＣＰＵ３０１は、算出したＱをテーブル７１に記憶する（Ｓ２５）。Ｑは、背表紙ラベル４１のうち書物６１の背表紙６１２に貼付される第二背表紙ラベル部４１２の短辺方向の長さに相当する。このためＣＰＵ３０１は、上述のようにしてＱを算出し、印刷データを作成することによって、書物６１の背表紙６１２に正確に貼付することが可能な第二背表紙ラベル部４１２を作成できる。
【００４４】
次にＣＰＵ３０１は、文字４１６（図３参照）を入力することが可能な画面をディスプレイ３０７に表示し、文字４１６の入力をユーザに促す。ユーザが入力部３０５を介して文字４１６を入力したとする。ＣＰＵ３０１は、入力された文字４１６を取得する（Ｓ２７）。ＣＰＵ３０１は、取得した文字４１６をテーブル７１に記憶する（Ｓ２７）。以上までの処理によって、背表紙ラベル４１に対応するパラメータ（Ｐ、Ｑ、Ｒ、および文字）がすべてテーブル７１に記憶されたことになる。
【００４５】
ＣＰＵ３０１は、テーブル７１に記憶されたパラメータに基づいて、印刷装置２が背表紙ラベル４１を作成するために必要な印刷データを作成する処理（第二作成処理、図１０参照）を実行する（Ｓ２９）。図１０を参照し、第二作成処理について説明する。ＣＰＵ３０１は、印刷媒体５０をＰ分搬送し、その後、ミシン目４１４（図３参照）を印刷媒体５０に形成させる動作を印刷装置２が実行するように、印刷データを設定する（Ｓ５１）。次にＣＰＵ３０１は、印刷媒体５０をＱ分搬送しながら文字４１６を印刷し、その後、ミシン目４１５（図３参照）を印刷媒体５０に形成させる動作を印刷装置２が実行するように、印刷データを設定する（Ｓ５３）。最後にＣＰＵ３０１は、印刷媒体５０をＲ分搬送し、その後、印刷媒体５０を切断する動作を印刷装置２が実行するように、印刷データを設定する（Ｓ５５）。以上によって、背表紙ラベル４１を作成するために必要な印刷データが作成される。第二作成処理は終了し、処理はメイン処理（図８参照）に戻る。
【００４６】
図８に示すように、第二作成処理（図１０参照）の終了後、ＣＰＵ３０１は、作成した印刷データを、通信ケーブルを介して印刷装置２に送信する（Ｓ３１）。メイン処理は終了する。なお印刷装置２は、印刷データ作成装置３から受信した印刷データに基づき、サーマルヘッド２１３（図２参照）、テープ送りモータ２１４（図２参照）、およびカッターモータ２１５（図２参照）を駆動する。これによって印刷装置２は、背表紙ラベル４１の短辺方向に沿って印刷媒体５０を搬送しつつ、印刷媒体５０上に、ミシン目４１４、文字４１６、およびミシン目４１５を順に形成させることによって、背表紙ラベル４１を作成する。
【００４７】
以上説明したように、第一実施例において印刷データ作成装置３は、背表紙長が短い場合に、見出しラベル５１の印刷データを作成し、背表紙長が長い場合に、背表紙ラベル４１の印刷データを作成できる。見出しラベル５１では、第二見出しラベル部５１２に第一文字５２０が印刷され、第三見出しラベル部５１３に第二文字５２１が印刷される。このため印刷データ作成装置３は、第二見出しラベル部５１２の短辺の長さＢ、および、第三見出しラベル部５１３の短辺の長さＣを調整することによって、第一文字５２０および第二文字５２１を十分な大きさで印刷することが可能な印刷データを作成できる。従ってユーザは、作成された印刷データに基づいて印刷装置２が作成した見出しラベル５１を書物６１に貼付することによって、背表紙長の短い書物６１を書棚等に陳列した状態でも、第二見出しラベル部５１２に印刷された第一文字５２０、および、第三見出しラベル部５１３に印刷された第二文字５２１を参照することによって、所望する書物６１を容易且つ正確に選択できる。
【００４８】
また印刷データ作成装置３は、背表紙ラベル４１の折り目の部分にミシン目４１４、４１５（図３参照）を設け、見出しラベル５１にの折り目の部分にミシン目５１６〜５１９（図５参照）を設けることが可能な印刷データを作成する。これによってユーザは、印刷装置２が作成した背表紙ラベル４１および見出しラベル５１を、所定の折り目部分で正確に折り曲げることができる。これによってユーザは、折り目の部分を書物６１の縁に容易に揃えることができるので、背表紙ラベル４１および見出しラベル５１を書物６１に正確に貼付できる。
【００４９】
また印刷データ作成装置３は、背表紙ラベル４１のＰ、Ｒ、および、見出しラベル５１のＡ、Ｅを規定値として予めテーブル７１に記憶する。これによって、背表紙ラベル４１および見出しラベル５１を構成する各部位の長さを印刷データ作成装置３に設定する手間を省くことができる。このためユーザは、背表紙ラベル４１および見出しラベル５１を作成するための印刷データを短時間で容易に作成できる。
【００５０】
また印刷データ作成装置３は、見出しラベル５１を構成する第四見出しラベル部５１４の長さを、背表紙長に基づいて算出する。これによって印刷データ作成装置３は、第四見出しラベル部５１４の短辺方向の長さＤをユーザが設定する手間を省くことができる。同様に印刷データ作成装置３は、背表紙ラベル４１を構成する第二背表紙ラベル部４１２の長さを、背表紙長に基づいて算出する。これによって印刷データ作成装置３は、第二背表紙ラベル部４１２の短辺方向の長さＱをユーザが設定する手間を省くことができる。従って、印刷データ作成装置３は、印刷データを作成する場合の作業を容易化し、且つ、作成時間を短縮できる。
【００５１】
＜第二実施例＞
以下、本発明の第二実施例について説明する。第二実施例が第一実施例と異なる点は、メイン処理において、ＣＰＵ３０１がユーザから文字サイズを取得し、取得した文字サイズに基づいて、ラベルの種別（背表紙ラベル４１または見出しラベル５１）を選択する点にある。印刷システム１の構成（図１参照）、印刷装置２および印刷データ作成装置３の電気的構成（図２参照）、背表紙ラベル４１および見出しラベル５１の構成（図３〜図６参照）、テーブル７１（図７参照）等は、第一実施例と同一である。また以下では、第二実施例におけるメイン処理のうち、第一実施例におけるメイン処理と同一の処理部分について、同一符号を付し、説明を省略または簡略化する。
【００５２】
図１１を参照し、第二実施例におけるメイン処理について説明する。ＣＰＵ３０１は、入力された背表紙長を取得する（Ｓ１１）。次にＣＰＵ３０１は、文字の大きさ（以下、文字サイズという。）、および文字のフォント種別を入力することが可能な画面を、ディスプレイ３０７に表示し、文字サイズおよびフォント種別の入力をユーザに促す。ユーザが、文字サイズおよびフォント種別を、入力部３０５を介して入力したとする。ＣＰＵ３０１は、入力された文字サイズおよびフォント種別を取得する（Ｓ６１）。
【００５３】
ＣＰＵ３０１は、Ｓ６１で取得した文字サイズに所定のマージン０．５ｍｍを加算し、所定値を算出する。ＣＰＵ３０１は、算出した所定値と、Ｓ１１で取得した背表紙長とを比較する（Ｓ６３）。取得した背表紙長が所定値未満である場合（Ｓ６３：ＹＥＳ）、取得した文字サイズの文字４１６（図３参照）を背表紙ラベル４１の第二背表紙ラベル部４１２に印刷すると、文字４１６が第二背表紙ラベル部４１２からはみ出してしまうことになる。この場合、ＣＰＵ３０１は、印刷装置２が見出しラベル５１を作成するために必要な印刷データを作成する（Ｓ１５〜Ｓ２３）。一方、取得した背表紙長が所定値以上である場合（Ｓ６３：ＮＯ）、取得した文字サイズの文字４１６（図３参照）を背表紙ラベル４１の第二背表紙ラベル部４１２に印刷することができる。この場合、ＣＰＵ３０１は、印刷装置２が背表紙ラベル４１を作成するために必要な印刷データを作成する（Ｓ２５〜Ｓ２９）。
【００５４】
取得した背表紙長が所定値未満である場合（Ｓ６３：ＹＥＳ）、ＣＰＵ３０１は、Ｓ１１で取得した背表紙長に所定のマージン（例えば０．５ｍｍ）を加算することによって、Ｄを算出し、テーブル７１（図７参照）に記憶する（Ｓ１５）。ＣＰＵ３０１は、ユーザによって入力されたＢおよびＣを取得し、テーブル７１に記憶する（Ｓ１７）。
【００５５】
ＣＰＵ３０１は、第一文字５２０（図５参照）および第二文字５２１（図５参照）を、Ｓ６１で取得した文字サイズで印刷できるか否かを、次のようにして判断する。ＣＰＵ３０１は、Ｓ６１で取得した文字サイズに０．５ｍｍを加算し、所定値を算出する。ＣＰＵ３０１は、算出した所定値と、Ｓ１７で取得したＢ、Ｃとを比較する（Ｓ６５）。Ｂ、Ｃが所定値以下となった場合（Ｓ６５：ＮＯ）、Ｓ６１で取得した文字サイズで第一文字５２０（図５参照）を第二見出しラベル部５１２に印刷すると、第一文字５２０は第二見出しラベル部５１２からはみ出してしまうことになる。同様に、Ｓ６１で取得した文字サイズで第二文字５２１（図５参照）を第三見出しラベル部５１３に印刷すると、第二文字５２１は第三見出しラベル部５１３からはみ出してしまうことになる。このためＣＰＵ３０１は、第一文字５２０および第二文字５２１を印刷することができないと判断する。ＣＰＵ３０１は、第一文字５２０を印刷することが可能な第二見出しラベル部５１２の短辺方向の長さＢ、および、第二文字５２１を印刷することが可能な第三見出しラベル部５１３の短辺方向の長さＣを取得するために、処理はＳ１７に戻る。
【００５６】
一方、Ｂ、Ｃが所定値を超えた場合（Ｓ６５：ＹＥＳ）、ＣＰＵ３０１は、Ｓ６１で取得した文字サイズで第一文字５２０を第二見出しラベル部５１２に印刷することができ、且つ、Ｓ６１で取得した文字サイズで第二文字５２１を第三見出しラベル部５１３に印刷することができると判断する。ＣＰＵ３０１は、見出しラベル５１を作成するための印刷データを作成する処理を実行する（Ｓ１９〜Ｓ２３）。
【００５７】
以上説明したように、第二実施例において、印刷データ作成装置３は、ユーザの所望する大きさの文字を第二背表紙ラベル部４１２に印刷することができない場合、背表紙ラベル４１の代わりに見出しラベル５１を作成する印刷データを作成することができる。またこの場合、印刷データ作成装置３は、ユーザの所望する大きさの文字を、第二見出しラベル部５１２および第三見出しラベル部５１３に印刷することができる。このためユーザは、第二見出しラベル部５１２に印刷された第一文字５２０、および、第三見出しラベル部５１３に印刷された第二文字５２１を参照し易くなるので、陳列された書物６１の中から、所望する書物６１を更に容易に選択できる。
【００５８】
＜第三実施例＞
以下、本発明の第三実施例について説明する。第三実施例が第二実施例と異なる点は、メイン処理において、ラベルの種別を示す情報がユーザによって入力される点にある。ＣＰＵ３０１は、入力された情報に基づいて、作成する印刷データに対応するラベルの種別を判断する。印刷システム１の構成（図１参照）、印刷装置２および印刷データ作成装置３の電気的構成（図２参照）、背表紙ラベル４１および見出しラベル５１の構成（図３〜図６参照）、テーブル７１（図７参照）等は、第一実施例および第二実施例と同一である。また以下では、第三実施例におけるメイン処理のうち、第二実施例におけるメイン処理と同一の処理部分について、同一符号を付し、説明を省略または簡略化する。
【００５９】
図１２を参照し、第三実施例におけるメイン処理について説明する。ＣＰＵ３０１は、入力された背表紙長を取得する（Ｓ１１）。ＣＰＵ３０１は、入力された文字サイズおよびフォント種別を取得する（Ｓ６１）。ＣＰＵ３０１は、作成される印刷データに対応するラベルの種別（背表紙ラベル４１または見出しラベル５１）を選択することが可能な選択画面を、ディスプレイ３０７に表示し、ラベルの種別の入力をユーザに促す。ユーザが入力部３０５を介して、ラベルの種別として見出しラベル５１を選択したとする。ＣＰＵ３０１は、入力されたラベルの種別を取得する（Ｓ７３：ＹＥＳ）。ＣＰＵ３０１は、見出しラベル５１を作成するために必要な印刷データを作成する（Ｓ１５、Ｓ１７、Ｓ６５、Ｓ１９〜Ｓ２３）。
【００６０】
一方、ユーザが入力部３０５を介して、ラベルの種別として背表紙ラベル４１を選択したとする（７３：ＮＯ）。ＣＰＵ３０１は、取得した背表紙長が所定値（例えば２ｍｍ）以上であるかを判断する（Ｓ７５）。ＣＰＵ３０１は、取得した背表紙長が所定値未満である場合（Ｓ７５：ＮＯ）、十分な大きさの文字４１６（図３参照）を第二背表紙ラベル部４１２に印刷することができないので、ユーザから背表紙長を再度取得するために、処理はＳ１１に戻る。一方、取得した背表紙長が所定値以上である場合（Ｓ７５：ＹＥＳ）、ユーザが良好に認識できる程度の大きさの文字４１６を第二背表紙ラベル部４１２に印刷することができるので、背表紙ラベル４１を作成するために必要な印刷データを作成する（Ｓ２５〜Ｓ２９）。
【００６１】
以上説明したように、第三実施例において、印刷データ作成装置３は、ユーザからの指示に応じて、作成する印刷データに対応するラベルの種別（背表紙ラベル４１または見出しラベル５１）を選択することができる。これによってユーザは、所望する種別のラベルを印刷装置２に作成させることが可能となる。
【００６２】
なお本発明は上述の実施例に限定されず、種々の変更が可能である。上述の実施例において、ＣＰＵ３０１は、作成した印刷データを通信ケーブルを介して印刷装置２に対して送信した。印刷装置２は、印刷データ作成装置３から受信した印刷データに基づいて、背表紙ラベル４１または見出しラベル５１を作成した。これに対し、印刷装置２のＣＰＵ２０１が印刷データを作成し、同時に、作成した印刷データに基づいて、背表紙ラベル４１または見出しラベル５１を作成してもよい。この場合、テーブル７１（図７参照）はフラッシュメモリ２０３に記憶される。図８、図１１、および図１２において示されるメイン処理の各ステップが、印刷装置２のＣＰＵ２０１において実行される。なおＳ３１において、上述の実施例と異なり、ＣＰＵ２０１は、第一作成処理（Ｓ２３）および第二作成処理（Ｓ２９）によって作成された印刷データに基づき、サーマルヘッド２１３（図２参照）、テープ送りモータ２１４（図２参照）、およびカッターモータ２１５（図２参照）を駆動する。これによって印刷装置２は、背表紙ラベル４１の印刷データが作成された場合、背表紙ラベル４１の短辺方向に沿って印刷媒体５０を搬送しつつ、印刷媒体５０上に、ミシン目４１４、文字４１６、およびミシン目４１５を順に形成させることによって、背表紙ラベル４１を作成する。また印刷装置２は、見出しラベル５１の印刷データが作成された場合、見出しラベル５１の短辺方向に沿って印刷媒体５０を搬送しつつ、印刷媒体５０上に、ミシン目５１６、第一文字５２０、ミシン目５１７、第二文字５２１、ミシン目５１８、およびミシン目５１９を順に形成させることによって、見出しラベル５１を作成する。
【００６３】
背表紙長を判断する場合に使用された所定値の特定方法は、第二実施例における方法、すなわち、文字サイズに０．５ｍｍを加算することによって算出する方法に限定されない。例えば、ユーザによって入力された値を所定値としてそのまま使用してもよい。また所定値は、フォントの種類や文字数等に基づき特定されてもよい。例えば英語フォントである場合、日本語フォントである場合と比較して、所定値を小さくしてもよい。
【００６４】
上述では、背表紙ラベル４１の折り目に相当する部分にミシン目４１４、４１５が設けられ、見出しラベル５１の折り目に相当する部分にミシン目５１６〜５１９が設けられるように、印刷データが作成された。ミシン目が設けられる部分は、これらの部分のうち一部分であってもよい。また、ミシン目４１４、４１５、５１６〜５１９の代わりに線分が印刷されるように、印刷データが作成されてもよい。ミシン目の代わりに線分が印刷された場合も、ユーザは、折り目の部分を書物６１の縁に容易に揃えることができるので、背表紙ラベル４１および見出しラベル５１を書物６１に正確に貼付できる。
【００６５】
上述では、背表紙ラベル４１のうち短辺方向の長さＰ、Ｒ、および、見出しラベル５１のうち短辺方向の長さＡ、Ｅが、既定値として予めテーブル７１に記憶されていた。これに加え、Ｂ、Ｃも規定値として予めテーブル７１に記憶してもよい。これによって、ユーザが印刷データを作成する場合の作業を更に簡素化することができる。また、Ｐ、Ｒ、Ａ、Ｅをユーザから取得し、テーブル７１に記憶してもよい。さらに、Ｐ、Ｒ、Ａ、Ｅは、背表紙長に基づいて算出されてもよい。例えば背表紙長が大きい場合、背表紙長が大きい場合と比較して大きな値のＰ、Ｒ、Ａ、Ｅを算出してもよい。このようにして作成された印刷データに基づき作成されたラベルは、背表紙長の大きな書物６１に対して確実に貼付される。
【００６６】
上述では、背表紙ラベル４１における第二背表紙ラベル部４１２の短辺方向の長さＱ、および、見出しラベル５１における第四見出しラベル部５１４の短辺方向の長さＤは、背表紙長に基づいて算出されていた。これに対し、ＱまたはＤは、印刷データ作成装置３に対してユーザが入力してもよい。ＣＰＵ３０１は、入力されたＱまたはＤをテーブル７１に記憶してもよい。
【００６７】
作成された背表紙ラベル４１および見出しラベル５１は、製本された状態の書物の背表紙部分に貼付されるばかりでなく、例えば、製本されていない状態の紙束の一辺を綴じて束ねることによって、紙束を製本するために使用されてもよい。
【００６８】
なお、Ｓ１１の処理を行うＣＰＵ２０１またはＣＰＵ３０１が、本発明の「第一取得手段」に相当する。Ｓ２３の処理を行うＣＰＵ２０１またはＣＰＵ３０１が、本発明の「作成手段」に相当する。Ｓ６１の処理を行うＣＰＵ２０１またはＣＰＵ３０１が、本発明の「第二取得手段」に相当する。見出しラベル５１における各長さＡ、Ｂ、Ｃ、Ｄ、Ｅを格納するテーブル７１を記憶したＨＤＤ３０２またはフラッシュメモリ２０３が、本発明の「記憶手段」に相当する。
【符号の説明】
【００６９】
１      印刷システム
２      印刷装置
３      印刷データ作成装置
４１    背表紙ラベル
５０    印刷媒体
５１    見出しラベル
６１    書物
７１    テーブル
２０３  フラッシュメモリ
３０２  ＨＤＤ
４１１  第一背表紙ラベル部
４１２  第二背表紙ラベル部
４１３  第三背表紙ラベル部
４１４、４１５  ミシン目
４１６  文字
５１１  第一見出しラベル部
５１２  第二見出しラベル部
５１３  第三見出しラベル部
５１４  第四見出しラベル部
５１５  第五見出しラベル部
５１６、５１７、５１８、５１９  ミシン目
５２０  第一文字
５２１  第二文字
６１１  表紙
６１２  背表紙
６１３  表紙
【図１】
2013097476.tif 000003
【図２】
2013097476.tif 000004
【図３】
2013097476.tif 000005
【図４】
2013097476.tif 000006
【図５】
2013097476.tif 000007
【図６】
2013097476.tif 000008
【図７】
2013097476.tif 000009
【図８】
2013097476.tif 000010
【図９】
2013097476.tif 000011
【図１０】
2013097476.tif 000012
【図１１】
2013097476.tif 000013
【図１２】
2013097476.tif 000014